(57)【特許請求の範囲】
【請求項１】
金融機関で払込を行う払込取扱票に少なくとも払込証明書が分離可能に連接した払込書と、その払込書に関連する申込書又は依頼書等との組合せからなり、申込書又は依頼書等は払込書に記入する内容が複写可能な状態で重ね合わされると共に、払込書に切り離し可能に綴じ合わされており、さらに払込書における払込証明書の裏面に接着構造が設けられていることを特徴とする払込書付帳票。
【請求項２】
払込書における払込証明書の裏面に粘着剤が塗布され、その粘着剤が剥離紙で被覆されていることを特徴とする請求項１に記載の払込書付帳票。
【請求項３】
払込書における払込証明書の裏面に再湿性の接着剤が塗布されていることを特徴とする請求項１に記載の払込書付帳票。
【発明の詳細な説明】
【０００１】
【発明の属する技術分野】
本発明は、各種試験の受験料の払込書と申込書、産業廃棄物等の処理費用の払込書と依頼書など、費用や代金の払込のための払込書とそれに関連する申込書又は依頼書等とを組み合わせたタイプの払込書付帳票に関するものである。
【０００２】
【従来の技術】
従来より、このタイプの払込書付帳票には種々のものがあり、例えば、実公平５−１７２６２号公報には、配送情報を記載する届け先住所氏名記入欄と依頼者住所氏名記入欄を有する配達申込書と、依頼者住所氏名欄及び少なくとも金融機関に商品代金を払い込むために必要な事項の記入欄を有する払込通知票と払込票とからなる払込書を、払込通知票の依頼者住所氏名記入欄への記入事項が配達申込書の依頼者住所氏名欄へ複写記入されるよう対応させて重ねるとともに、配達申込書と払込書とを切り離し自在に綴じ合わせてなる帳票が記載されている。
【０００３】
また、特開平１０−１６４５５号公報には、明細票と払込票が切取り部を境に連接してなる上位帳票と、少なくとも上位帳票の明細票の所定の内容を複写記入する複写記入部を有する下位帳票とからなり、上位帳票と下位帳票の間に複写シートを位置させ、一体化させてなる帳票が記載されている。
【０００４】
また、特開平１１−１０７９号公報には、申込者情報記入欄及び申込者本人の写真表示欄を有する申込票本体と、金融機関が申込者の払込を証明する証明書が連接する申込票と、この申込票の下部に金融機関側に渡る払込取扱票が申込票本体と払込証明書にミシン目を介して連接してなる払込証明書付申込書が記載されている。
【０００５】
【発明が解決しようとする課題】
ところで、各種試験の受験料、その他の費用や料金を、郵便局や銀行またはコンビニエンスストアーにて所定の払込取扱票で払い込んだ後、その払込取扱票に連接された払込証明書を受領印捺印後に切り離し、裏面に糊を塗布して申込書等の料金支払済みの証として貼付する場合がある。
【０００６】
ところが、上記で挙げた実公平５−１７２６２号公報と特開平１０−１６４５５号公報に記載の帳票では、払込書の内容を綴じ合わされた下位の配達申込書にワンライティングで複写記入することができるが、払込証明書がある場合は、その証明書は切り離した後に糊を塗布して申込票に貼る必要がある。
【０００７】
また、特開平１１−１０７９号公報に記載の帳票では、払込証明書は申込書と連接されているので、貼付の手間はかからないが、払込書と申込書に重複する記入事項も個々に記入する手間が必要である。
【０００８】
本発明は、上記のような問題点に鑑みてなされたものであり、その目的とするところは、申込者が払込証明書の裏面に糊を塗布する手間がかからず、名前、住所等の重複する内容を払込書と申込書又は依頼書等の両方に個々に記入する手間もかからないように工夫した払込書付帳票を提供することにある。
【０００９】
【課題を解決するための手段】
上記の目的を達成するために、本発明の払込票付帳票は、金融機関で払込を行う払込取扱票に少なくとも払込証明書が分離可能に連接した払込書と、その払込書に関連する申込書又は依頼書等との組合せからなり、申込書又は依頼書等は払込書に記入する内容が複写可能な状態で重ね合わされると共に、払込書に切り離し可能に綴じ合わされており、さらに払込書における払込証明書の裏面に接着構造が設けられていることを特徴とする。
【００１０】
なお、上記の「申込書又は依頼書等」は、料金の払込に伴うサービスや作業等の申込書や依頼書など種々のタイプの帳票を包含する。また、申込書や依頼書等を構成する枚数は１枚でも複数枚でも構わない。
【００１１】
【発明の実施の形態】
次に、具体例を挙げて本発明の実施の形態について説明する。
【００１２】
図１〜図３は本発明に係る払込書付帳票の一例を示すもので、図１はその一部を構成する払込書を示す平面図、図２は同じく依頼書としての管理票綴りを示す平面図、図３は図１の払込書と図２の管理票綴りとを綴じ合わせた払込書付帳票の横断面図である。
【００１３】
払込書１は、金融機関等の払込に使用する払込取扱票２と、払込受領書３と、その払込を証明する捺印欄を設けた払込証明書４とがミシン目５により各々分離可能に連接されたものである。また、申込書又は依頼書としての管理票綴り９は、この例では廃棄物のリサイクルに係わるものであり、排出者控１０、引取店控１１、運搬業者用１２、引取店回付用１３、指定引取場所控１４、再商品化工場控１５，現品貼付用１６の各管理票が綴られている。そして、この管理票綴り９は、払込書１に記入する内容が複写可能な状態で払込書１と重ね合わせられ、かつ切り離し可能に綴じ合わされている。
【００１４】
図３に示すように、払込書１と管理票綴り９は重ね合わされて接着剤２２で綴じ合わされているが、その払込書１と管理票綴り９の間には、払込書１の記載事項を管理票綴り９の１枚目の排出者控１０の表面に複写するために、裏面にカーボンインキ２１を塗布した複写シート１８が挿入されて綴じ合わされている。これは、払込取扱票２が機械読取りにかけられる場合、裏面にカーボンインキ等が塗布されていると好ましくないため、別途複写シート１８を挿入したものである。なお、複写シート１８を挿入せずに、管理票綴り９の１枚目の排出者控１０の表面に発色剤と顕色剤を塗布した自家発色のノーカーボン紙を用いるようにしてもよい。
【００１５】
このように、払込書１と管理票綴り９を複写可能に綴じ合わせることにより、払込人住所氏名欄７ａの内容やその他の各枚目に共通する記載項目８ａ，８ｂの内容を管理票の住所氏名欄７ｂ、記載項目８ｃ，８ｄに複写することができるので、同じ内容を２度記入する必要がない。また、同一の管理番号６を払込取扱票２、払込証明書４、管理票綴り９に事前に印刷しておくと、払い込まれた料金と管理票とのマッチングが容易である。なお、払込先が郵便局の場合、払込書１の通信欄の内容を受取人に伝えるサービスもあり、本紙が届く前に事前に知りたい記載項目８ａ，８ｂや管理番号６を払込取扱票２の通信欄内に設けておくとよい。
【００１６】
払込書１には、払込受領書３に連接して払込証明書４がミシン目５から分離可能に設けられている。そして、この払込証明書４の裏面には粘着剤１９ａが塗布されており、その粘着剤１９ａの表面は剥離紙２０ａで被覆されている。
【００１７】
払込書１と管理票綴り９が綴じ合わされた状態で払込書１に必要事項を記入した後、払込書１を管理票綴り９から剥離し、金融機関にて払込金と共に提出して料金の払込を行う。払込を受けた金融機関は、払込受領書３及び払込証明書４に受領の証の捺印を行い、ミシン目５から払込受領書３及び払込証明書４を切り離して払込者に返却する。払込受領書３及び払込証明書４を受け取った払込者は、分離された管理票綴り９にその他記入事項があれば記入し、払込証明書４を払込受領書３からミシン目５より切り離し、裏面の粘着剤１９ａを被覆している剥離紙２０ａを剥がして、払込証明書４を管理票の払込証明書貼付欄１７に貼付する。このように、払込証明書４の裏面にあらかじめ接着構造が設けられていることにより、糊等を準備することなく容易に貼付することができる。
【００１８】
図２に示す事例は、管理票綴り９の６枚目の再商品化工場控１５に払込証明書貼付欄１７が設けられているが、貼付場所が分かりやすいように上の枚目より長くし、貼付欄１７が見えるようにしてある。この場合、貼付後も払込証明書４が上の枚目を捲らなくても目視でき、払込の確認が容易である。
【００１９】
なお、払込証明書４の裏面に形成される接着構造は、通常乾燥状態では接着しないが濡らすことにより接着可能となる再湿性の接着剤を塗布しておき、貼付の際に裏面の接着剤部分を濡らして接着するようにしてもよい。この場合、接着剤は剥離紙で被覆する必要はない。また、払込証明書４の裏面の接着構造は、図３では払込証明書４のほぼ全面としているが、貼付に必要な一部分だけとしてもよい。また、払込書１と綴じ合わされる帳票は複数枚の綴りではなく、払込証明書貼付欄をもつ１枚の帳票でもよい。
【００２０】
図１〜図３に示した例は、家電のリサイクルに用いられる払込書付帳票の具体例であり、その使用方法について説明する。
【００２１】
上記のように、この払込書付帳票は、払込書１と管理票綴り９が複写シート１８を間に挟んだ状態で、各々剥離可能に左辺で接着剤２２により綴じ合わされている。管理票綴り９には、管理票毎にユニークな管理番号６が各枚目に印刷され、その管理番号６と同一の番号が払込書１の払込取扱票２の通信欄内と払込証明書４にも印刷されている。払込取扱票２の払込人住所氏名欄７ａの記入内容は、管理票綴り９の排出者住所氏名欄７ｂに複写されるように配置されている。また、リサイクルに供される家電の製造者と品名は、払込取扱票２の通信欄内の記載項目８ａ，８ｂに記入され、その内容は管理票綴り９の記載項目８ｃ，８ｄに複写される。
【００２２】
リサイクルする家電の排出者は、払込書１と管理票綴り９を綴じ合わせた状態で払込書１の記入欄に住所氏名及び家電の品名、製造業者名、払込金額等の必要事項を記入した後、綴りから払込書１を分離し、郵便局等の金融機関の窓口にてリサイクル料金の払込を行う。払込を受けた金融機関は、払込書１の払込取扱票２、払込受領書３，払込証明書４に受領の証の捺印をし、払込受領書３，払込証明書４を払込者に返却する。受け取った払込者（排出者）は、払込証明書４を分離し、管理票綴り９の払込証明書貼付欄１７に裏面の剥離紙２０ａを剥がして粘着剤１９ａにて貼付する。払込証明書貼付欄１７は、図２に示すように６枚目の再商品化工場控１５にあるが、その上の枚目より長く貼付欄１７は表出しているので、貼付場所を間違えることなく容易に貼付できる。
【００２３】
排出者は、払込書１と分離した管理票綴り９に払込書１から複写された以外の必要事項を記入し、リサイクルする家電と共に管理票綴り９を引取店に引き渡す。引取店は、管理票綴り９に貼付された払込証明書４にて料金が既に支払済みであることを確認し、家電を引き取る。このとき貼付された払込証明書４は綴られた状態で目視でき容易に確認できる。引き取られた家電は、引取店で管理票綴り９の７枚目の現品貼付票１６を管理票綴り９から分離し、裏面の剥離紙２０ｂを剥がし、粘着剤１９ｂによりリサイクルする家電に貼付し、管理票綴り９とリサイクルする現品とのマッチングを可能とする。
【００２４】
引き取られた家電は、運搬業者により指定取引場所に運ばれ、さらにリサイクルを実施する再商品化工場に運ばれて処理されるが、管理票綴り９は各部署部署で管理票綴り９の必要片を分離保管するが、払込証明書４は再商品化工場控１５に貼付されているので、それ以前の各部署でも料金の払込済みの確認ができる。なお、郵便局の場合、払込取扱票２の通信欄内の記載事項をイメージデータで払込金の受取人に提供するサービスがあり、通信欄内に記載された管理番号６、品名、製造業者などの情報を再商品化工場において管理票綴り９が届く前に事前に入手することができる。管理票綴り９が手元に届いた際に、事前の情報とマッチングにより確認することも可能である。
【００２５】
図４及び図５は本発明に係る払込書付帳票の別の例を示すもので、図４は各構成部分を離間状態で示す説明図、図５は綴じ合わせ状態での払込書付帳票の横断面図である。
【００２６】
図４及び図５に示される払込書付帳票は、資格試験の受験申込書の例であり、受験料を払い込むための払込書１と、受験申込書２３が複写を取るための複写シート１８を間に挟んで接着剤２２により分離可能に綴じ合わされている。
【００２７】
受験申込書２３には管理番号６が振られており、同じ管理番号６が払込取扱票２及び払込証明書４にも印刷されている。払込書１の払込人住所氏名欄は受験申込書２３の受験者住所氏名欄に複写される。また、払込取扱票２の通信欄に記載される受験コース名も同じく受験申込書２３に複写される。受験申込人は、払込書１と受験申込書２３を綴じ合わせた状態で払込書１に住所氏名、受験コース名等の必要項目を記入した後、払込書１を分離し、受験申込書２３に払込書１から複写された項目以外の必要事項を追記すると共に写真を貼付する。そして、分離した払込書１により郵便局等の金融機関にて受験料の払込を行う。
【００２８】
払込を受けた金融機関では、払込書１の払込取扱票２、払込受領書３、払込証明書４にそれぞれ受領の証の捺印をし、払込受領書３と払込証明書４を払込者に返却する。そして、払込受領書３と払込証明書４を受け取った払込者は、払込証明書４をミシン目５より分離し、裏面の剥離紙２０ａを剥がして、粘着剤１９ａにより受験申込書２３の払込証明書貼付欄１７に貼付する。受験申込書２３は郵送で送付するが、払込証明書４は糊等の準備の必要がなく、払込金融機関のその場で受験申込書２３に貼付できるので、一度持ち帰ることなく、払込証明書４を貼付した受験申込書２３を封筒に入れて送付することができる。
【００２９】
以上、２つの例を挙げて本発明の実施形態に基づいて説明したが、本発明による払込票付帳票は、上記実施の形態に何ら限定されるものでなく、本発明の趣旨を逸脱しない範囲において種々の変更が可能であることは言うまでもない。
【００３０】
【発明の効果】
以上に説明したように、本発明の払込書付帳票は、払込書と申込書又は依頼書等が重ね合わせられ、払込書に記入した内容が申込書又は依頼書等に複写可能なので、個々に記入する手間がかからない。また、払込書と申込書又は依頼書等に同じ番号等を印刷しておくと、入金情報と申込書又は依頼書とのマッチングが容易に行えるが、払込書と申込書又は依頼書等が綴じ合わされているので、違う番号の払込書と申込書又は依頼書等が使われることがない。また、払込取扱票と払込証明書が同一面に連接されているので、払込を処理する金融機関で受領印の押し忘れ等もなく処理作業が容易である。そして、金融機関で料金の払込を行うと、払込書は金融機関で使用する払込取扱票と払込者の控えとなる払込証明書等に分離され、払込者は申込書又は依頼書等に料金の支払済みの証としてその払込証明書を貼付するが、その際に払込者は糊等を塗布する必要がなく、その場で払込証明書の裏面の粘着剤を覆っている剥離紙を剥がすか、或いは、払込証明書の裏面の再湿性の接着剤を濡らすだけで容易に貼付することができる。
【図面の簡単な説明】
【図１】本発明に係る払込書付帳票の一部を構成する払込書を示す平面図である。
【図２】本発明に係る払込書付帳票の一部を構成する依頼書としての管理票綴りを示す平面図である。
【図３】図１の払込書と図２の管理票綴りとを綴じ合わせた払込書付帳票の横断面図である。
【図４】本発明に係る払込書付帳票の別の例をその各構成部分を離間状態で示す説明図である。
【図５】図４に示す払込書付帳票の綴じ合わせ状態での横断面図である。
【符号の説明】
１  払込書
２  払込取扱票
３  払込受領書
４  払込証明書
５  ミシン目
６  管理番号
７ａ，７ｂ  住所氏名欄
８ａ，８ｂ，８ｃ，８ｄ  記入項目
９  管理票綴り
１０  排出者控
１１  引取店控
１２  運搬業者用
１３  引取店回付用
１４  指定引取場所控
１５  再商品化工場控
１６  現品貼付用
１７  払込証明書貼付欄
１８  複写シート
１９ａ，１９ｂ  粘着剤
２０ａ，２０ｂ  剥離紙
２１  カーボンインキ
２２  接着剤
２３  受験申込書
【図１】
0004371557.tif 000002
【図２】
0004371557.tif 000003
【図３】
0004371557.tif 000004
【図４】
0004371557.tif 000005
【図５】
0004371557.tif 000006